(57)【要約】【課題】  構造が簡単で、平板形状の物品をアピール度高く面陳列することができる陳列ボードと、それを用いる陳列方法子を提供することを課題とする。【解決手段】  上下に間隔をあけて配置された前方当接部と後方当接部とを備え、前記前方当接部は上向の前方当接面を有し、前記後方当接部は下向の後方当接面を有しており、前記前方当接面は前記後方当接面よりも前方で、かつ下方に位置している陳列ボードとそれを用いる陳列方法を提供することによって解決する。【選択図】  図８
2020036887.tif 000002
【特許請求の範囲】
【請求項１】
上下に間隔をあけて配置された前方当接部と後方当接部とを備え、前記前方当接部は上向の前方当接面を有し、前記後方当接部は下向の後方当接面を有しており、前記前方当接面は前記後方当接面よりも前方で、かつ下方に位置している、陳列ボード。
【請求項２】
板状部材と、前記板状部材を前面から背面まで貫通する１又は２以上の挿入空間とを有しており、前記前方当接部及び前記後方当接部が前記挿入空間の各々に設けられ、前記前方当接面が前記挿入空間に面した上向の前方当接面であり、前記後方当接面が前記挿入空間に面した下向の後方当接面である、請求項１記載の陳列ボード。
【請求項３】
前記挿入空間が、前記板状部材の前面及び背面以外の面で、外部空間と連続している請求項２記載の陳列ボード。
【請求項４】
上下方向に間隔をあけて配置された少なくとも２つの支持部材と、上下方向に隣接する２つの前記支持部材間に形成される挿入空間とを有しており、前記前方当接部が下方に位置する前記支持部材の上面に設けられ、前記後方当接部が上方に位置する前記支持部材の下面に設けられ、前記前方当接面が前記挿入空間に面した上向の前方当接面であり、前記後方当接面が前記挿入空間に面した下向の後方当接面である、請求項１記載の陳列ボード。
【請求項５】
上下方向に間隔をあけて配置された少なくとも２つの前記支持部材が、前後方向にも間隔をあけて配置されている請求項４記載の陳列ボード。
【請求項６】
前記前方当接面及び／又は前記後方当接面が滑り止め部材で構成されているか、滑り止め部材で覆われている請求項１〜５のいずれかに記載の陳列ボード。
【請求項７】
前記前方当接面及び／又は前記後方当接面が、前記板状部材又は前記支持部材の前面と平行な水平方向に連続して存在する一続きの当接面である請求項１〜６のいずれかに記載の陳列ボード。
【請求項８】
前記前方当接面及び／又は前記後方当接面が、前記板状部材又は前記支持部材の前面と平行な水平方向に断続して存在する１又は分割された複数の当接面である請求項１〜６のいずれかに記載の陳列ボード。
【請求項９】
前記前方当接面及び／又は前記後方当接面が、前記板状部材又は前記支持部材の背面から前面に向かって前下がりに傾斜している請求項１〜８のいずれかに記載の陳列ボード。
【請求項１０】
前記板状部材又は前記支持部材が透明な材料で構成されている請求項１〜９のいずれかに記載の陳列ボード。
【請求項１１】
請求項１〜１０のいずれかに記載の陳列ボードを用いる陳列方法であって、前記挿入空間に陳列物品を挿入し、陳列物品の上面及び下面を、それぞれ前記後方当接面及び前記前方当接面に当接させ、前記挿入空間内に陳列物品を前傾斜に保持して陳列する陳列方法。
【発明の詳細な説明】
【技術分野】
【０００１】
本発明は、陳列ボードとそれを用いる陳列方法に関し、詳細には、書籍や雑誌などの平板形状の物品を面陳列することができる陳列ボードと、当該陳列ボードを用いて物品を面陳列する陳列方法に関する。
【背景技術】
【０００２】
書籍や雑誌などの平板状の物品は、その正面（書籍や雑誌でいえば表紙の面）を利用者又は消費者が見える方向に向けて陳列する、いわゆる面陳列が利用者又は消費者に対するアピール度が強く、関心を引くのに有効であるといわれている。
【０００３】
このため、面陳列を可能にする装置や器具が従来から多数提案されており、例えば、特許文献１、２には、背板と底板を有し、商品ケースなどの棚板に取り付けて書籍やＣＤなどの平板状物品を面陳列する装置が開示されている。また、特許文献３においては、背板と受け部を備え、壁面に固定されるベース部材に懸架して使用される面陳列器具が提案されている。しかし、これらの装置又は器具は、構造が複雑で部品点数が多く、製作に手間が掛かり、高価であるとともに、陳列される物品よりも陳列装置又は器具の方が目立ち、見る者に大掛かりで堅い印象を与え兼ねないという欠点がある。
【０００４】
一方、特許文献４には、紙製の底面板と側面板と背面板とから構成され、書棚の上などに載置して使用するタイプの面陳列装置が提案されている。この面陳列装置は、材質が紙であり、また部品点数も少ないので、利用者や消費者に与える印象はコンパクトで軟らかいものであるが、物品の陳列の仕方としては、やや画一的で、アピール性に欠けるきらいがある。
【先行技術文献】
【特許文献】
【０００５】
【特許文献１】特開２００３−１１６６８３号公報
【特許文献２】特開２０１１−３６２８７号公報
【特許文献３】特開２００８−７３４７３号公報
【特許文献４】特開２００８−６７９７４号公報
【発明の概要】
【発明が解決しようとする課題】
【０００６】
本発明は、上記の従来の面陳列装置又は器具の上記欠点を解消するために為されたもので、構造が簡単で、しかも、書籍や雑誌等の平板形状の物品をアピール度高く面陳列することができる陳列ボードと、それを用いる陳列方法を提供することを課題とするものである。
【課題を解決するための手段】
【０００７】
本発明者は、上記の課題を解決すべく鋭意開発努力を重ねた結果、従来から提案されている面陳列装置や面陳列器具に物足りなさが残るのは、陳列物品を正面を見せた状態で斜め又は垂直に支える機構に問題があるのではないかと思い至った。すなわち、従来の面陳列装置又は器具は、いずれも背板若しくはそれに相当する部材と、底板若しくはそれに相当する部材を有しており、陳列物品の背面を前記背板に、陳列物品の底面を前記底板に当接させることによって陳列物品を面陳列するように構成されているが、この背板と底板との組み合わせが、面陳列装置や器具の構造を複雑なものとし、かつ、実現される面陳列を画一的なものとしているのではないかと考えられる。
【０００８】
上記発想に基づき、さらに試行錯誤を重ねた結果、本発明者は、陳列物品を支える機構を従来とは全く異ならせ、背板と底板の組み合わせで陳列物品を支える代わりに、書籍等の平板形状の陳列物品の上面及び下面を、少なくとも上下に距離をおいた２つの当接部材のそれぞれと当接させることにより、陳列物品自身の重量を利用して、陳列物品の正面を上に向け、しかも前方に傾斜した状態で保持、陳列することができることを見出した。
【０００９】
すなわち、本発明は、上下に間隔をあけて配置された前方当接部と後方当接部とを備え、前記前方当接部は上向の前方当接面を有し、前記後方当接部は下向の後方当接面を有しており、前記前方当接面は前記後方当接面よりも前方で、かつ下方に位置している陳列ボードを提供することにより、上記の課題を解決するものである。
【００１０】
好ましい一態様において、本発明の陳列ボードは、板状部材と、前記板状部材を前面から背面まで貫通する１又は２以上の挿入空間とを有しており、前記前方当接部及び前記後方当接部が前記挿入空間の各々に設けられ、前記前方当接面が前記挿入空間に面した上向の前方当接面であり、前記後方当接面が前記挿入空間に面した下向の後方当接面である。
【００１１】
前記板状部材に設けられている前記挿入空間は、前記板状部材の前面及び背面以外の面で、外部空間と連続していても良い。すなわち、前記挿入空間が板状部材の内部に存在するとき、挿入空間は前記板状部材の前面及び背面を介してのみ外部空間と連続しているが、前記挿入空間は、必ずしも板状部材の内部に存在しなければならないわけではなく、例えば、板状部材の端部近傍に設けられ、板状部材の前面及び背面だけでなく、板状部材の側面を介して外部に連続していても良い。また、前記板状部材は、板状であれば良く、平板状であっても、曲板状であっても良い。
【００１２】
他の好ましい一態様において、本発明の陳列ボードは、上下方向に間隔をあけて配置された少なくとも２つの支持部材と、上下方向に隣接する２つの前記支持部材間に形成される挿入空間とを有しており、前記前方当接部が下方に位置する前記支持部材の上面に設けられ、前記後方当接部が上方に位置する前記支持部材の下面に設けられ、前記前方当接面が前記挿入空間に面した上向の前方当接面であり、前記後方当接面が前記挿入空間に面した下向の後方当接面である。上下方向に間隔をあけて配置された少なくとも２つの前記支持部材は、前後方向にも間隔をあけて配置されていても良い。
【００１３】
なお、前方当接面が上向であるとは、前方当接面が上方を向いており、陳列物品の下面が当接できる向きにあることを意味し、必ずしも、真上を向いていることを意味しない。同様に、後方当接面が下向とは、後方当接面が下方を向いており、陳列物品の上面が当接できる向きにあることを意味し、必ずしも真下を向いていることを意味しない。
【００１４】
前記前方当接面及び／又は前記後方当接面は、必須ではないものの、できれば滑り止め部材で構成されているか、滑り止め部材で覆われているのが望ましい。前方当接面又は後方当接面のいずれか、又は双方が、滑り止め部材で構成されているか、滑り止め部材で覆われている場合には、当接面における摩擦力が高まり、陳列物品の保持がより安定的になるという利点が得られる。
【００１５】
好ましい一態様において、本発明に係る陳列ボードにおける前方当接面及び／又は後方当接面は、前記板状部材又は前記支持部材の前面と平行な水平方向に連続して存在する一続きの当接面である。すなわち、前方当接面と後方当接面とは、それぞれが陳列物品の下面又は上面と当接し、摩擦力によって陳列物品を所定の位置に保持する働きをするものであるので、前方当接面及び後方当接面は、それぞれ陳列物品の下面及び上面と水平方向に均等に当接するのが良く、そのためには、前方当接面又は後方当接面のいずれか、若しくは双方が、板状部材又は支持部材の前面と平行な水平方向に連続して存在する一続きの当接面であり、陳列物品の下面及び／又は上面が、それぞれ、前記前方当接面及び／又は前記後方当接面と水平に当接するのが望ましい。
【００１６】
ただし、当接が水平方向に均等であれば、前方当接面及び後方当接面は、必ずしも陳列物品の下面又は上面の全幅にわたって陳列物品と当接する必要はなく、前方当接面又は後方当接面のいずれか、若しくは双方は、前記板状部材又は前記支持部材の前面と平行な水平方向に断続して存在する１又は分割された複数の当接面であっても良い。ただし、前方当接面及び後方当接面の双方が水平方向に断続して存在する１の当接面である場合には、必ずしも陳列物品を保持できなくなるというわけではないが、陳列物品の保持が不安定になる恐れがあるので、前方当接面又は後方当接面のいずれか一方、好ましくは陳列物品の下面を支える前方当接面は、水平方向に断続して存在する分割された複数の当接面であるか、水平方向に連続して存在する一続きの当接面であるのが望ましい。
【００１７】
本発明の係る陳列ボードは、その好ましいさらに他の一態様において、前方当接面及び／又は後方当接面は、板状部材又は支持部材の背面から前面に向かって前下がりに傾斜している。この傾斜の角度は、手前下がりに面陳列される陳列物品の手前下がりの傾斜角度とほぼ一致する角度とするのが良く、これにより、陳列物品の下面又は上面と、前方当接面又は後方当接面との当接面積が大きくなり、摩擦力を高め、陳列物品の保持をより安定なものとすることができる。
【００１８】
さらに好適な一態様において、本発明の陳列ボードは、前記板状部材又は前記支持部材が、例えばアクリル樹脂等の透明な材料で構成されているのが望ましい。板状部材又は支持部材が透明な材料で構成されている場合には、挿入空間内に挿入された陳列物品の先端部分の正面側を板状部材又は支持部材を透して見ることができるので、例えば、陳列物品が書籍などの場合には、書籍の表紙上部に記載された表題等を、板状部材又は支持部材を透して視認することができ、より効果的な面陳列が可能となる。加えて、板状部材又は支持部材が透明な材料で構成されている場合には、陳列物品があたかも空中に浮いているかのような印象を見る者に与え、利用者や消費者の注意や関心をより強く引きつけることができるという利点が得られる。なお、板状部材又は支持部材を透明な材料で構成する場合には、陳列物品に隠されることのない後方当接部や後方当接面も含めて、透明な材料で構成するのが良い。
【００１９】
さらに、本発明は、上述した本発明に係る陳列ボードを用いる陳列方法を提供することによって上記課題を解決するものである。すなわち、本発明の陳列方法によれば、陳列物品を、手で持つなどして、その正面（表紙）を上向きに、上端を先に向けて水平に保持した状態で、板状部材又は支持部材の前面側から挿入空間内に差し込み、陳列物品の先端部を後方当接面よりも奥に位置させ、その位置で陳列物品の支えを解除すれば良い。陳列物品の先端部を後方当接面よりも奥に位置させ、その位置で陳列物品の支えを解除すると、陳列物品は、その先端奥側の上面を後方当接面と当接させ、先端手前側の下面を前方当接面と当接させた状態で、挿入空間内に前傾斜で保持され、面陳列されることになる。なお、板状部材に設けられた挿入空間が、板状部材の前面及び背面だけでなく、板状部材の側面を介して外部に連続している場合には、板状部材の前面からだけではなく、挿入空間と連続している板状部材の側面からも、陳列物品を挿入空間内に挿入することができる。
【００２０】
陳列物品を上記のように、その下面及び上面をそれぞれ前方当接面及び後方当接面に当接させると、陳列物品には、その自重により、前記前方当接面を支点として、陳列物品の先端を上向きに回転させようとする力が掛かり、この力が、陳列物品の先端奥側の上面をそれが当接している後方当接面に向かって押し付け、また逆に、反作用によって、陳列物品の先端手前側の下面をそれが当接している前方当接面に向かって押し付けることになり、その結果、両当接部分における摩擦力が高まり、陳列物品は、手前下がりの斜め状態であるにもかかわらず、滑り落ちることなく、その位置に安定して保持されることになる。
【００２１】
なお、本明細書において、板状部材又は支持部材の前面とは、本発明の陳列ボードを物品を陳列できる状態で設置したときに、板状部材又は支持部材の利用者又は消費者の方を向く面をいい、背面とは、その反対側の面をいうものとする。手前側及び奥側についても同様であり、本発明の陳列ボードを物品を陳列できる状態で設置したときに、利用者又は消費者の側からみて、それぞれ手前側及び奥側となる側を意味し、上下方向、左右方向、又は水平方向についても、本発明の陳列ボードを物品を陳列できる状態で設置したときにその前面からみて、上下方向、左右方向、及び水平方向となる方向をいうものとする。
【００２２】
本発明の陳列ボードは、陳列ボードに脚又は支えなどを取り付けることによって、陳列ボード自身で自立させて使用しても良いし、壁面、柱の側面、本棚又は家具等の側面に適宜の手段で取り付けて使用しても良く、さらには、天井等から懸架した状態で使用しても良い。また、垂直に自立した支柱、好ましくは回転自在な支柱に、取り付けるようにしても良い。
【００２３】
本発明の陳列ボード及びそれを用いる陳列方法が対象とする物品には、それが平板形状の物品である限り特段の制限はなく、例えば、書籍、図書、雑誌、ＣＤ、ＤＶＤ、パンフレット、楽譜等が挙げられるが、これらに限られるものではない。
【発明の効果】
【００２４】
本発明の陳列ボードによれば、従来の面陳列装置や面陳列器具とは違って、陳列物品を支えるのに、陳列物品の背面を支持する背板や、陳列物品の底面を支持する底板を必要とせず、単に、前後及び上下に間隔を開けて配置された後方当接面と前方当接面とを陳列物品の上面及び下面の一部と当接させて支持するだけであるので、面陳列装置の構造が極めて簡単になり、部品点数が少なく、安価に製造することができるという利点が得られる。また、陳列物品を支えるのに、陳列物品の背面や底面を支持する背板や底板を必要としないので、陳列ボード自身がシンプルなものとなり、陳列物品をよりアピール度高く面陳列することができるという利点が得られる。
【００２５】
加えて、本発明に係る陳列ボードによれば、板状部材に設けられるか、又は支持部材間に形成される挿入空間の数や位置、大きさを適宜変えることによって、立体的に様々な状態での面陳列が可能になるという利点が得られ、インテリア性が向上し、書店等の店舗や図書館における面陳列の自由度を増し、商品や新規入庫品のアピール度を高めることができるだけでなく、これまでにない新鮮な印象を消費者又は利用者に与えることができるという利点が得られる。特に、板状部材又は支持部材を透明材料で構成するときには、見る者の視界を遮るものがなく、陳列物品の正面全体が明瞭に視認できるとともに、陳列物品があたかも空中に浮いているかのような印象を与える面陳列が可能になるという利点が得られる。
【００２６】
また、本発明の陳列方法によれば、陳列対象物品を板状部材に設けられるか、又は支持部材間に形成される挿入空間内に差し込んで手を離すだけで面陳列をすることができ、特別な装置を棚板等に取り付けたり、壁面に懸架したりする必要がないので、誰でも容易に対象物品を面陳列することができるとともに、面陳列している物品の交換や変更も容易に行うことができるという利点が得られる。
【図面の簡単な説明】
【００２７】
【図１】本発明に係る陳列ボードの一例を示す斜視図である。
【図２】図１のＡ、Ｂ、Ｃの位置での垂直断面図である。
【図３】図２における各挿入空間近傍の部分拡大断面図である。
【図４】カバー部材を取り付けた挿入空間近傍の部分拡大断面図である。
【図５】本発明に係る陳列ボードを用いる面陳列方法の説明図である。
【図６】本発明に係る陳列ボードを用いる面陳列方法の説明図である。
【図７】本発明に係る陳列ボードを用いる面陳列方法の説明図である。
【図８】本発明に係る陳列ボードを用いて物品を面陳列した状態を示す斜視図である。
【図９】本発明に係る陳列ボードの他の一例における挿入空間の正面図である。
【図１０】図９のＸ−Ｘ’断面図である。
【図１１】図１０の挿入空間に物品を挿入し面陳列した状態を示す図である。
【図１２】本発明に係る陳列ボードのさらに他の一例における挿入空間の正面図である。
【図１３】図１２のＸ−Ｘ’断面図である。
【図１４】図１２のＹ−Ｙ’断面図であり、挿入空間に物品を挿入し面陳列した状態を示す図である。
【図１５】本発明に係る陳列ボードのさらに他の一例における挿入空間の正面図である。
【図１６】図１５のＸ−Ｘ’断面図である。
【図１７】本発明に係る陳列ボードのさらに他の一例における挿入空間の正面図である。
【図１８】図１７のＸ−Ｘ’断面図及びＹ−Ｙ’断面図である。
【図１９】本発明に係る陳列ボードのさらに他の一例を示す斜視図である。
【図２０】図１９のＸ−Ｘ’断面図である。
【図２１】図２０の部分拡大図である。
【図２２】本発明に係る陳列ボードを用いて物品を面陳列した状態を示す斜視図である。
【図２３】本発明に係る陳列ボードのさらに他の一例を示す斜視図である。
【図２４】図２３の側面部分拡大断面図である。
【図２５】図２３の側面垂直断面図である。
【図２６】本発明に係る陳列ボードのさらに他の一例を示す斜視図である。
【図２７】本発明に係る陳列ボードのさらに他の一例を示す側面垂直断面図である。
【発明を実施するための形態】
【００２８】
以下、図面を用いて本発明を詳細に説明するが、本発明が図示のものに限られないことは勿論である。
【００２９】
図１は、本発明に係る陳列ボードの一例を示す斜視図である。図１において、１は陳列ボードであり、２は、陳列ボード１を構成する板状部材、３は、板状部材２を立設状態に保持するための台板である。図１は、陳列物品が陳列される側を手前側に向けて置かれた状態にあり、したがって、２ｆは板状部材２の前面、２ｂは板状部材２の背面である。
【００３０】
Ｓ１、Ｓ２、Ｓ３は挿入空間である。図に示すとおり、本例では３個の挿入空間Ｓ１、Ｓ２、Ｓ３が設けられており、各々の挿入空間Ｓ１、Ｓ２、又はＳ３は板状部材２を前面２ｆから背面２ｂまで貫通している。挿入空間Ｓ１、Ｓ２、Ｓ３は、いずれも前面２ｆから背面２ｂまで一様な形状の空間であり、その前面２ｆにおける開口、及び背面２ｂにおける開口は、いずれも台板３の上面に対して平行で、水平な長辺を有する横長の長方形状である。
【００３１】
ただし、挿入空間Ｓ１、Ｓ２、Ｓ３の前面２ｆにおける開口の幅ｗ１、ｗ２、ｗ３、及び高さｈ１、ｈ２、ｈ３は、それぞれ異なっており、それぞれサイズの異なる陳列物品を挿入するのに適した大きさとなっている。例えば、挿入空間Ｓ１、Ｓ２、Ｓ３の高さｈ１、ｈ２、ｈ３に関していえば、ｈ３が最も大きく、ｈ２が最も小さく、ｈ３＞ｈ１＞ｈ２の関係にあり、高さが最も大きい挿入空間Ｓ３は比較的厚さの厚い陳列物品の挿入に、高さが最も小さい挿入空間Ｓ２は比較的厚さの薄い陳列物品の挿入に、高さがその中間にある挿入空間Ｓ１は厚さが中程度の陳列物品の挿入に適している。
【００３２】
板状部材２を構成する材料には特段の制限はなく、例えば、厚紙、段ボール、木材、金属、プラスチックなど、板状に成型でき、かつ挿入空間Ｓ１、Ｓ２、Ｓ３を設けることができるものであれば、どのような材料から構成されていても良いが、例えば、アクリル樹脂などの透明な樹脂で構成されている場合には、板状部材２を透してその向こう側にある陳列物品を視認することができるので好ましい。また、台板３についても、板状部材２と同様の適宜の材料を用いて構成すればよい。本例では板状部材２は垂直に直立した平板であるが、板状部材２は斜めに立ち上がっていても良く、また、湾曲した曲板であっても良い。
【００３３】
図２（Ａ）（Ｂ）（Ｃ）は、図１の陳列ボード１を、それぞれ矢印Ａ、Ｂ、Ｃで示す位置において、前面２ｆと直交する垂直面で切断した断面図である。図２において、Ｈ１、Ｈ２、Ｈ３は、ぞれぞれ、挿入空間Ｓ１、Ｓ２、Ｓ３の台板３の上面からの高さである。図に示すとおり、挿入空間Ｓ１、Ｓ２、Ｓ３は、それぞれ台板３の上面からの高さＨ１、Ｈ２、Ｈ３が異なっており、Ｈ２＞Ｈ１＞Ｈ３の関係にある。
【００３４】
なお、図１及び図２に示した挿入空間Ｓ１、Ｓ２、Ｓ３の個数、配置、大きさは単なる一例であり、板状部材２に設けられる挿入空間の個数、配置、大きさが適宜変更可能であることは勿論である。
【００３５】
図３（Ａ）（Ｂ）（Ｃ）は、それぞれ、図２（Ａ）（Ｂ）（Ｃ）における挿入空間Ｓ１、Ｓ２、Ｓ３の近傍だけを拡大して示した部分拡大断面図である。図３（Ａ）（Ｂ）（Ｃ）において、４１、４２、４３は前方当接部、５１、５２、５３は後方当接部である。前方当接部４１、４２、４３は、それぞれ挿入空間Ｓ１、Ｓ２、Ｓ３に面している板状部材２の下側内周面の前面２ｆ側に位置し、後方当接部５１、５２、５３は、それぞれ挿入空間Ｓ１、Ｓ２、Ｓ３に面している板状部材２の上側内周面の背面２ｂ側に位置している。
【００３６】
Ｐｆ１、Ｐｆ２、Ｐｆ３は、それぞれ前方当接部４１、４２、４３が有している前方当接面であり、Ｐｂ１、Ｐｂ２、Ｐｂ３は、それぞれ後方当接部５１、５２、５３が有している後方当接面である。図に示すとおり、前方当接面Ｐｆ１、Ｐｆ２、Ｐｆ３は、挿入空間Ｓ１、Ｓ２、Ｓ３に面した上向の当接面であり、後方当接面Ｐｂ１、Ｐｂ２、Ｐｂ３は、挿入空間Ｓ１、Ｓ２、Ｓ３に面した下向の当接面である。
【００３７】
本例においては、前方当接部４１、４２、４３及び後方当接部５１、５２、５３は、両者とも、横長の長方形である挿入空間Ｓ１、Ｓ２、Ｓ３の幅一杯に、当該長方形の長辺に沿って、かつ、板状部材２の前面２ｆと平行に設けられており、それらの挿入空間Ｓ１、Ｓ２、Ｓ３側に面した上面又は下面が、それぞれ、前方当接面Ｐｆ１、Ｐｆ２、Ｐｆ３及び後方当接面Ｐｂ１、Ｐｂ２、Ｐｂ３に相当している。したがって、前方当接面Ｐｆ１、Ｐｆ２、Ｐｆ３及び後方当接面Ｐｂ１、Ｐｂ２、Ｐｂ３は板状部材２の前面２ｆと平行な水平方向に連続して存在する一続きの当接面である。
【００３８】
なお、図３では、前方当接部４１及び後方当接部５１と、板状部材２のその他の部分との間には境界があり、それぞれ異なる向き及び間隔のハッチングが施されているが、これは前方当接部及び後方当接部の位置を分かり易くするための便宜上のものであって、必ずしも前方当接部４１及び後方当接部５１が板状部材２とは別体に設けられていることを意味するものではない。板状部材２の挿入空間Ｓ１側に面した上面及び／又は下面の一部又は全部を、そのまま前方当接部４１及び／又は後方当接部５１としても良いし、板状部材２の挿入空間Ｓ１側に面した上面及び／又は下面の一部を切り欠いて、そこに当接部を構成する材料を嵌め込むか、接着、溶着、貼着、塗布、吹付等の適宜の手段で当接部を構成する材料を取り付けて、前方当接部４１及び／又は後方当接部５１を構成するようにしても良い。さらには、板状部材２の挿入空間Ｓ１側に面した上面及び／又は下面を他の材料で覆って前方当接部４１及び／又は後方当接部５１としても良い。前方当接部４２、４３及び後方当接部５２、５３についても同様である。
【００３９】
また、前方当接面Ｐｆ１及び後方当接面Ｐｂ１についていえば、前方当接部４１及び後方当接部５１の挿入空間Ｓ１に面している面をそのまま前方当接面Ｐｆ１及び／又は後方当接面Ｐｂ１としても良いし、前方当接部４１及び／又は後方当接部５１の挿入空間Ｓ１に面した面に、嵌め込み、接着、溶着、貼着、塗布、吹付等の適宜の手段で異なる材料を取り付けて、前方当接面Ｐｆ１及び後方当接面Ｐｂ１としても良い。
【００４０】
また、図示の例では、前方当接面Ｐｆ１及び後方当接面Ｐｂ１は、挿入空間Ｓ１を形成している板状部材２の内周面と同一面上に位置しているが、必ずしも同一面上になければならないわけではなく、板状部材２の内周面よりも挿入空間内側に突出した面上に位置していても良いし、逆に、板状部材２の内周面よりも挿入空間外側に凹んだ面上に位置していても良い。
【００４１】
前方当接面Ｐｆ１及び後方当接面Ｐｂ１は適宜の滑り止め部材で構成されているか、適宜の滑り止め部材で覆われているのが好ましい。例えば、前方当接面Ｐｆ１及び／又は後方当接面Ｐｂ１を滑り止め部材で構成する場合には、ゴム、樹脂、織布、不織布、糸、セラミック等の摩擦係数の高い材料を、前方当接部４１及び／又は後方当接部５１に嵌め込むか、接着、溶着、貼着、塗布、吹付等の適宜の手段で取り付けて、前方当接面Ｐｆ１及び／又は後方当接面Ｐｂ１とすれば良い。或いは、前方当接面Ｐｆ１及び／又は後方当接面Ｐｂ１の表面に凹凸を付けるか、表面を荒らすなどして、その摩擦係数を高め、滑り止め部材で構成されたと同等の滑り止め効果を得るようにしても良い。
【００４２】
また、前方当接面Ｐｆ１及び／又は後方当接面Ｐｂ１を滑り止め部材で覆う場合には、ゴム、樹脂、織布、不織布、糸、セラミック等の摩擦係数の高い材料で、
前方当接面Ｐｆ１及び／又は後方当接面Ｐｂ１を覆えば良い。この場合、例えば図４に示すように、少なくとも表面が摩擦係数の高い材料で構成された断面コの字型のカバー部材Ｃを、板状部材２の挿入空間Ｓ１の下面及び／又は上面をまたぐように嵌め込んで、前方当接面Ｐｆ１及び／又は後方当接面Ｐｂ１を含めて、挿入空間Ｓ１の下面及び／又は上面を覆うようにしても良い。
【００４３】
以上、前方当接部４１及び後方当接部５１、前方当接面Ｐｆ１及び後方当接面Ｐｂ１、及び挿入空間Ｓ１について説明したことは、前方当接部４２、４３及び後方当接部５２、５３、前方当接面Ｐｆ２、Ｐｆ３及び後方当接面Ｐｂ２、Ｐｂ３、及び挿入空間Ｓ２、Ｓ３についても同様である。
【００４４】
次に、上述した陳列ボード１の挿入空間Ｓ１を用いて物品６を面陳列する場合を例に、図５〜図７を用いて、本発明に係る面陳列方法について説明する。
【００４５】
図５は、挿入空間Ｓ１と、挿入空間Ｓ１に挿入できる厚さ及び幅を有する物品６とを示す図であり、挿入空間Ｓ１は図３（Ａ）におけるものと同じである。６ｆは物品６の正面（書籍の場合は表紙面）、６ｂは物品６の背面（書籍の場合は背表紙面）、６ｅは物品６の先端部を示している。図５に示すとおり、物品６は、正面６ｆを上に向けた状態で、水平に保持されている。挿入空間Ｓ１を使用して物品６を面陳列するには、図５の状態から物品６を図中矢印方向に移動させて、物品６の先端部６ｅを挿入空間Ｓ１内に挿入すれば良い。なお、物品６の保持や移動は、通常、人の手によって行われる。
【００４６】
図６は、物品６を、正面６ｆを上にして、先端部６ｅから挿入空間Ｓ１内に挿入した状態を示している。図６に示すとおり、物品６の先端部６ｅは、挿入空間Ｓ１を突き抜けて、後方当接面Ｐｂ１よりも板状部材２の奥側に位置している。この状態で、手を離すなどして、物品６を支えるのを止めると、図７に示すとおり、物品６は、まずその背面６ｂを前方当接面Ｐｆ１と当接させた後、次に、自重により、前方当接面Ｐｆ１を支点として、矢印で示す方向に回転し、正面６ｆを後方当接面Ｐｂ１と当接させた状態で停止する。図中、白矢印は、背面６ｂと前方当接面Ｐｆ１との当接箇所、及び、正面６ｆと後方当接面Ｐｂ１との当接箇所を示している。
【００４７】
背面６ｂと前方当接面Ｐｆ１との当接箇所、及び正面６ｆと後方当接面Ｐｂ１との当接箇所には、それぞれ、物品６の重量に基づくモーメントが掛かり、当接箇所には摩擦力が発生するので、物品６は、正面６ｆを上に向けた斜め状態のまま、挿入空間Ｓ１内に安定して保持されることになる。
【００４８】
図８は、以上のようにして、陳列ボード１の挿入空間Ｓ１、Ｓ２、Ｓ３のそれぞれに、物品６として、例えば書籍Ｂ１、Ｂ２、Ｂ３の先端部を挿入し、手前傾斜に面陳列した状態を示している。このように、本発明に係る陳列ボード１によれば、従来は面陳列には不可欠であると考えられていた背板や底板を用いることなく、書籍等の物品を、正面を上向きにして、しかも手前傾斜で面陳列することができる。
【００４９】
図９は、本発明に係る陳列ボードの他の一例における挿入空間Ｓの正面図であり、図１０はそのＸ−Ｘ’断面図である。図９及び図１０に示すとおり、本例の陳列ボードにおける挿入空間Ｓは、その板状部材２の前面２ｆに面した開口が、横長の長方形状ではなく、天井部分Ｓｔが上方に膨らんだかまぼこ形をしている。また、その高さ方向の下から略（１／３）で、板状部材２の背面２ｂ寄りの位置に、棒状の部材が水平に、かつ、板状部材２の前面２ｆと平行に、差し渡されており、この棒状の部材が後方当接部５を構成し、その下面が後方当接面Ｐｂとなっている。前方当接部４及び前方当接面Ｐｆに関しては、先に説明した例におけると同じである。したがって、本例においても、前方当接面Ｐｆ及び後方当接面Ｐｂは、両者とも、板状部材２の前面２ｆと平行な水平方向に連続して存在する一続きの当接面であるということができる。
【００５０】
挿入空間Ｓが、図９及び図１０に示されたような後方当接部５及び後方当接面Ｐｂを有し、開口形状がかまぼこ形である場合にも、先に述べたと同様にして物品６を面陳列することができる。すなわち、図１１に示すように、物品６をその先端部６ｅから挿入空間Ｓの前方当接面Ｐｆと後方当接面Ｐｂとの間に挿入し、先端部６ｅを板状部材２の背面２ｂよりも奥側に突出させた状態で、物品６の支持を止め、物品６の背面６ｂを前方当接面Ｐｆと当接させ、正面６ｆを後方当接面Ｐｂと当接させれば良い。
【００５１】
本例に示したように、挿入空間Ｓが、その高さ方向の下から略（１／３）で、板状部材２の背面２ｂ寄りの位置に、棒状の後方当接部５を有し、その下面を後方当接面Ｐｂとする場合には、挿入空間Ｓの天井部分Ｓｔが上方に膨らんでいることとも相俟って、後方当接部５の上方にも挿入空間Ｓが広がることになる。すなわち、図中符号７で示す利用者又は消費者の目からの目線を遮る部材が後方当接部５の上方に存在しないので、後方当接部５によって直接隠される部分を別にして、利用者又は消費者は、挿入空間Ｓ内に面陳列されている物品６の正面６ｆの上端近傍部分を後方当接部５の上方に見ることができる。物品６が書籍である場合には、表紙の上端近傍部分には書籍の題名等が記載されることが多いので、挿入空間Ｓ内に面陳列されている物品６の正面６ｆの上端近傍部分を視認することができるということは、陳列物品のアピール度を高める上で重要である。このとき、後方当接部５自体を透明な材料で構成しておくと、後方当接部５で直接隠される部分についても後方当接部５を透して見ることができるので、極めて好ましい。
【００５２】
図１２は、本発明に係る陳列ボードのさらに他の一例における挿入空間Ｓの正面図であり、図１３はそのＸ−Ｘ’断面図である。図１２及び図１３に示すとおり、本例の陳列ボードにおける挿入空間Ｓには、その天井部分Ｓｔの板状部材２の背面２ｂ寄りの位置から、間隔をあけて整列した２本の同じ長さの棒状部材が下方に向かって、挿入空間Ｓの高さ方向の略中央まで突出しており、この２本の棒状部材が後方当接部５ａ、５ｂを構成し、その下面が後方当接面Ｐｂａ、Ｐｂｂとなっている。
【００５３】
因みに、後方当接部５ａ及び５ｂの水平断面の中心を結ぶ線は、板状部材２の前面２ｆと平行な直線上に位置している。したがって、本例における後方当接面Ｐｂａ及びＰｂｂは、板状部材２の前面２ｆと平行な水平方向に断続して存在する分割された２つの当接面ということになる。一方、前方当接面Ｐｆは、その配置に関しては先に述べた例と同じであるので、板状部材２の前面２ｆと平行な水平方向に連続して存在する一続きの当接面ということになる。
【００５４】
また図１３に示されるとおり、後方当接部５ａ、５ｂに設けられている後方当接面Ｐｂａ、Ｐｂｂは、板状部材２の背面２ｂから前面２ｆに向かって前下がりに傾斜している。同様に、前方当接部４に設けられている前方当接面Ｐｆも、板状部材２の背面２ｂから前面２ｆに向かって前下がりに傾斜している。
【００５５】
図１２及び図１３に示されたような後方当接部５ａ、５ｂ及び後方当接面Ｐｂａ、Ｐｂｂを有する挿入空間Ｓを用いて物品６を面陳列する場合にも、先に述べたと同様にすれば良い。すなわち、図１４は、図１２のＹ−Ｙ’断面図であるが、図１４に示すように、物品６をその先端部６ｅから挿入空間Ｓの前方当接面Ｐｆと後方当接面Ｐｂａ、Ｐｂｂとの間に挿入し、板状部材２の背面２ｂよりも奥側に突出させた状態で、物品６の支持を止め、物品６の背面６ｂを前方当接面Ｐｆと当接させ、正面６ｆを後方当接面Ｐｂａ及びＰｂｂと当接させれば良い。
【００５６】
このとき、後方当接面Ｐｂａ、Ｐｂｂ及び前方当接面Ｐｆには、板状部材２の背面２ｂから前面２ｆに向かって前下がりの傾斜が設けられているので、物品６の正面６ｆ及び背面６ｂを、それぞれ、より大きな面積で、後方当接面Ｐｂａ、Ｐｂｂ、及び前方当接面Ｐｆと当接させることができ、摩擦力を高めて、物品６をより安定的な保持、面陳列を実現することがでる。
【００５７】
また、本例に示したように、挿入空間Ｓの天井部分Ｓｔから下方に向かって突出する２本の棒状部材を後方当接部５ａ、５ｂとし、その下面を後方当接面Ｐｂａ、Ｐｂｂとしている場合には、後方当接部５ａ、５ｂの両側には挿入空間Ｓが広がっているので、後方当接部５ａ、５ｂによって直接隠される部分を別にして、利用者又は消費者の眼７からの目線は、挿入空間Ｓ内に面陳列されている物品６の正面６ｆの上端近傍部分を、後方当接部５ａ、５ｂの側方に見ることができるという利点が得られる。このとき、後方当接部５ａ、５ｂ自体を透明な材料で構成しておくと、後方当接部５ａ、５ｂで隠される部分についても後方当接部５ａ、５ｂを透して見ることができるので、極めて好ましい。
【００５８】
図１５は、本発明に係る陳列ボードのさらに他の一例における挿入空間Ｓの正面図であり、図１６はそのＸ−Ｘ’断面図である。図１５及び図１６に示すとおり、本例の陳列ボードにおける挿入空間Ｓには、これまでの例におけると同様に、前方当接部４及び後方当接部５が設けられているが、本例においては、前方当接部４は断面円形の細長いゴム製の紐状部材であり、図１６の右側に一部拡大して示すとおり、板状部材２の挿入空間Ｓに面した下側内周面の前面２ｆ近傍に設けられた溝８内に嵌め込まれている点がこれまでに述べた例とは異なっている。後方当接部５についても同様であり、後方当接部５も、断面円形の細長いゴム製の紐状部材であり、板状部材２の挿入空間Ｓに面した上側内周面の背面２ｂ近傍に設けられた溝８内に嵌め込まれている。前方当接部４の上方を向いた面が前方当接面Ｐｆとなり、後方当接部５の下方を向いた面が後方当接面Ｐｂとなることはいうまでもない。
【００５９】
なお、嵌め込みに際しては、接着剤等を用いて紐状の前方当接部４及び後方当接部５を溝８内に接着し、前方当接部４及び後方当接部５が溝８から意図せずに脱落するのを防止するようにしても良い。
【００６０】
図１７は、本発明に係る陳列ボードのさらに他の一例における挿入空間Ｓの正面図であり、図１８はそのＸ−Ｘ’断面図及びＹ−Ｙ’断面図である。図１７及び図１８に示すとおり、本例の陳列ボードにおける挿入空間Ｓには、板状部材２の挿入空間Ｓに面した下側内周面の前面２ｆ近傍に、挿入空間Ｓの幅方向に２つに分割された平板長尺状の部材からなる前方当接部４ａ、４ｂが、その長手方向を前面２ｆと平行にして、接着剤によって貼着されている。一方、板状部材２の挿入空間Ｓに面した上側内周面の背面２ｂ近傍には、１枚の平板長尺状の部材からなる後方当接部５が、その長手方向を板状部材２の前面２ｆと平行にして、接着剤によって貼着されている。前方当接部４ａ、４ｂの上方を向いた面が前方当接面Ｐｆａ、Ｐｆｂとなり、後方当接部５の下方を向いた面が後方当接面Ｐｂとなることはいうまでもない。
【００６１】
本例における挿入空間Ｓは、対向する長辺が水平方向を向いた横長長方形状であり、前方当接部４ａ、４ｂ、及び後方当接部５は、いずれも、その長手方向を板状部材２の前面２ｆと平行にして挿入空間Ｓの内周面に貼着されているので、前方当接面Ｐｆａ及びＰｆｂは、板状部材２の前面２ｆと平行な水平方向に断続して存在する分割された２つの当接面ということになり、後方当接面Ｐｂは、板状部材２の前面２ｆと平行な水平方向に断続して存在する１つの当接面ということになる。
【００６２】
このように、前方当接面Ｐｆａ、Ｐｆｂと、後方当接面Ｐｂとは、挿入空間Ｓの幅方向の全域ではなく、一部分にしか設けられていないけれども、物品６の背面６ｂと当接する前方当接面Ｐｆａ、Ｐｆｂが２つあり、２つの前方当接面Ｐｆａ、Ｐｆｂの中央部分の上方に物品６の正面６ｆと当接する後方当接面Ｐｂが設けられているので、面陳列時には、物品６を、ちょうど３点で支えることになるので、物品６の保持が不安定になる恐れがない。
【００６３】
図１９は、本発明に係る陳列ボードのさらに他の一例を示す斜視図であり、図２０はそのＸ−Ｘ’断面図である。本例においては、板状部材２が台板３から垂直に立ち上がるのではなく、斜め後方に向かって立ち上がっている点、及び挿入空間Ｓ１、Ｓ２が、板状部材２の前面２ｆ及び背面２ｂだけでなく、板状部材２の側面２ｓを介して外部に連続している点が、これまでの例とは異なっている。
【００６４】
図２１は、図２０における挿入空間Ｓ１の近傍だけを拡大した部分拡大図である。図に見られるとおり、挿入空間Ｓ１が断面長方形ではなく、平行四辺形である点を除いて、前方当接部４及び前方当接面Ｐｆ、後方当接部５及び後方当接面Ｐｂについては、先に図１〜図７に基づいて説明した例と同じである。
【００６５】
図２２は、本例の陳列ボード１の挿入空間Ｓ１、Ｓ２のそれぞれに、陳列対象物品として、例えば書籍Ｂ４、Ｂ５を挿入し、手前傾斜に面陳列した状態を示している。本例の陳列ボード１によれば、陳列したい書籍Ｂ４、Ｂ５のような物品を、板状部材２の側面２ｓから挿入空間Ｓ１及びＳ２内に挿入し、それぞれの前方当接面Ｐｆ及び後方当接面Ｐｂと当接させることができるので、挿入空間Ｓ１、Ｓ２内への陳列対象物品の挿入が容易に行えるという利点が得られる。また、陳列されている物品を陳列ボード１から取り出す場合にも、書籍Ｂ４、Ｂ５のような物品を横方向に移動させて、挿入空間Ｓ１及びＳ２の板状部材２の側面２ｓ側の開口部から取り出すことができるので、挿入空間Ｓ１、Ｓ２内からの陳列対象物品の取り出しが容易に行えるという利点が得られる。さらに、書籍Ｂ４、Ｂ５のような物品を、図２２に示すように、その左側（挿入空間Ｓ１に挿入する場合）又は右側（挿入空間Ｓ２に挿入する場合）の一部を板状部材２の外側にはみ出させた状態で挿入空間Ｓ１及びＳ２内に挿入する場合には、書籍Ｂ４、Ｂ５の正面（表紙面）をより大きく露出させることができるので、アピール度の大きな面陳列を実現することができるという利点が得られる。
【００６６】
図２３は、本発明に係る陳列ボードのさらに他の一例を示す斜視図である。本例においては、挿入空間が、板状部材を前面から背面まで貫通する貫通穴ではなく、上下方向に間隔をあけて配置された隣接する支持部材間に形成される空間である点が、これまでの例とは異なっている。
【００６７】
すなわち、図２３において、１は本発明の陳列ボードであり、陳列ボード１は、台板３と、台板３に垂直に設立された左右一対の支持柱９ａ、９ｂと、上下方向に間隔をあけて支持柱９ａ、９ｂ間に掛け渡された複数の支持部材１０１、１０２、１０３・・・とを備えている。Ｓ１、Ｓ２、Ｓ３・・・は挿入空間であり、挿入空間Ｓ１は支持部材１０１と１０２の間、挿入空間Ｓ２は支持部材１０２と１０３の間、挿入空間Ｓ３は支持部材１０３と１０４の間といった具合に、それぞれ上下方向に隣接する２本の支持部材間に形成されている。
【００６８】
図２４は、図２３の部分拡大断面図であり、上方方向に間隔をあけて配置された隣接する２つの支持部材１０ｎと支持部材１０ｎ＋１の断面が示されている。Ｓｎは支持部材１０ｎと支持部材１０ｎ＋１の間に形成される挿入空間である。下方に位置する支持部材１０ｎ＋１の前方よりの上部が前方当接部１１ｎ＋１を構成しており、上方に位置する支持部材１０ｎの後方よりの下部が後方当接部１２ｎを構成している。また、前方当接部１１ｎ＋１の挿入空間Ｓｎに面した上向の表面が前方当接面Ｐｆｎ＋１に相当し、後方当接部１２ｎの挿入空間Ｓｎに面した下向の表面が後方当接面Ｐｂｎに相当している。
【００６９】
支持部材１０ｎの上方に位置する図示しない支持部材１０ｎ−１との関係でいえば、支持部材１０ｎの前方よりの上部が前方当接部１１ｎを構成し、その挿入空間Ｓｎ−１に面した上向の表面が前方当接面Ｐｆｎに相当することになる。同様に、支持部材１０ｎ＋１の下方に位置する図示しない支持部材１０ｎ＋２との関係でいえば、支持部材１０ｎ＋１の後方よりの下部が後方当接部１２ｎ＋１を構成し、その挿入空間Ｓｎ＋１に面した下向の表面が後方当接面Ｐｂｎ＋１に相当することになる。
【００７０】
図２５は、図２３に示す陳列ボード１の側面垂直断面図であり、陳列ボード１の挿入空間Ｓ３内に、例えば書籍等の物品６を挿入して、手前傾斜に面陳列した状態を示している。このように本例の陳列ボード１によれば、板状部材に前面から背面まで貫通する貫通孔として設けられた挿入空間ではなく、上下方向に間隔をあけて配置された、例えば、支持部材１０３と支持部材１０４との間に形成される挿入空間Ｓ３内に物品６の先端部分を挿入するだけで、書籍等の物品６を、正面を上向にして、しかも手前傾斜で面陳列することができる。
【００７１】
なお、図に示した例においては、支持部材１０１、１０２、１０３・・・の数は７本であるが、支持部材１０の数は７つに限られず、少なくとも２つあれば足り、それら支持部材間に少なくとも一つの挿入空間が形成されれば良い。また、図に示した例においては、支持部材１０１、１０２、１０３・・・は断面円形の丸棒状の部材であるが、支持部材１０１、１０２、１０３・・・の形状は丸棒状に限られず、断面が三角形、四角形、又はそれ以上の多角形の長尺状形状であっても良く、楕円形であっても良い。
【００７２】
さらに、図に示した例においては、支持部材１０１、１０２、１０３・・・は、一対の支持柱９ａ及び９ｂ間に掛け渡された連続する一つの部材であるが、図２６に示すように、支持部材１０１、１０２、１０３・・・は、支持柱９ａ及び９ｂ間にそれぞれ片持ち支持される２つの部分１０１ａと１０１ｂ、１０２ａと１０２ｂ、１０３ａと１０３ｂ・・・に分割されていても良い。
【００７３】
図２３〜図２６に示した例においては、複数の支持部材１０１、１０２、１０３・・・が上下方向に間隔をあけて配置されているが、これら複数の支持部材１０１、１０２、１０３・・・は、上下方向に加えて前後方向にも間隔をあけて配置されていても良い。
【００７４】
すなわち、図２７は、本発明の陳列ボード１のさらに他の例を示す側面断面図であるが、図２７に示すとおり、複数の支持部材１０１、１０２、１０３・・・は、上下方向に加えて、前後方向にも間隔をあけて配置されており、それら複数の数の支持部材１０１、１０２、１０３・・・間に、挿入空間Ｓ１、Ｓ２、Ｓ３・・・が形成されている。なお、本例において、支持部材１０１、１０２、１０３・・・は紙面の手前方向及び奥行方向に長さを有する板状の長尺部材であるが、棒状の部材であっても良い。１３ｂは支持板であり、図２７の手前側には図示しない支持板１３ａが存在しており、複数の支持部材１０１、１０２、１０３・・・は、左右一対の支持板１３ａと１３ｂの間に掛け渡されているものである。６は、書籍等の物品であり、図示の例では、陳列ボード１の挿入空間Ｓ２内に挿入され、手前傾斜に面陳列されている。
【００７５】
以上、板状部材、支持部材、挿入空間、前方当接部、後方当接部、前方当接面、及び後方当接面について述べた種々の変形例は、単一の陳列ボード内、及び／又は、単一の挿入空間内において様々に組み合わせて用いることが可能であり、上に述べた例における組み合わせに限られるものでないことは勿論である。また、以上の例においては、本発明に係る陳列ボードは、それ自身が自立型であるが、本発明に係る陳列ボードは、壁や、柱の側面、設置された家具や什器の側面等、適宜箇所に取り付けて使用されても良く、また、天井等から懸架して使用しても良く、さらには、回転自在な支柱に取り付けて、陳列面を回転可能としても良い。
【産業上の利用可能性】
【００７６】
以上述べたとおり、本発明に係る陳列ボード及びそれを用いる陳列方法によれば、背板や底板なしに物品を面陳列することができ、しかも、板状部材や支持部材、挿入空間の形状、配置、大きさ等を変化させることによって、これまでにない様々な面陳列が可能となる。本発明に係る陳列ボード及びそれを用いる陳列方法は、インテリア的にも優れたものであり、図書館や書店等に限らず、コンビニエンスストア、アンテナショップを始めとする各種店舗における陳列ツールとして極めて有用であり、その産業上の利用可能性は多大である。
【符号の説明】
【００７７】
１            陳列ボード
２            板状部材
３            台板
４、１１      前方当接部
５、１２      後方当接部
６            物品
７            眼
８            溝
９ａ、９ｂ    支持柱
１０          支持部材
１３ａ、１３ｂ    支持板
Ｓ            挿入空間
Ｐｆ          前方当接面
Ｐｂ          後方当接面
Ｂ            書籍
【図１】
2020036887.tif 000003
【図２】
2020036887.tif 000004
【図３】
2020036887.tif 000005
【図４】
2020036887.tif 000006
【図５】
2020036887.tif 000007
【図６】
2020036887.tif 000008
【図７】
2020036887.tif 000009
【図８】
2020036887.tif 000010
【図９】
2020036887.tif 000011
【図１０】
2020036887.tif 000012
【図１１】
2020036887.tif 000013
【図１２】
2020036887.tif 000014
【図１３】
2020036887.tif 000015
【図１４】
2020036887.tif 000016
【図１５】
2020036887.tif 000017
【図１６】
2020036887.tif 000018
【図１７】
2020036887.tif 000019
【図１８】
2020036887.tif 000020
【図１９】
2020036887.tif 000021
【図２０】
2020036887.tif 000022
【図２１】
2020036887.tif 000023
【図２２】
2020036887.tif 000024
【図２３】
2020036887.tif 000025
【図２４】
2020036887.tif 000026
【図２５】
2020036887.tif 000027
【図２６】
2020036887.tif 000028
【図２７】
2020036887.tif 000029